(57)【要約】【課題】ロット数に応じて単価が異なる場合の価格管理を容易にする。【解決手段】複数のコンピュータ１、２、３、…をネットワークで統合したＰＤＭシステムにおいて、サーバーのなかにデータベース４を構築し、このデータベース４にＭ−ＢＯＭを保管して管理するとともに、このデータベース４に、各工程ごとにロット数に対応した単価のテーブルの作成・更新・維持を行う単価管理部と、入力された部品およびロット数に応じて上記単価テーブルを検索し、その部品を構成する工程のそれぞれのロット数対応単価を抽出して合計価格を計算し提示する価格提示部とを備えるようにしている。【選択図】図１
2006313457.tif 000002
【特許請求の範囲】
【請求項１】
各部品の製造に関する情報として工程の種類、価格、加工先を含む工程属性情報を有するＭ−ＢＯＭを保管して管理する手段を備えるＰＤＭシステムにおいて、上記Ｍ−ＢＯＭの保管・管理手段は、各工程ごとにロット数に対応した単価のテーブルの作成・更新・維持を行う単価管理手段と、入力された部品およびロット数に応じて上記単価テーブルを検索し、その部品を構成する工程のそれぞれのロット数対応単価を抽出して合計価格を計算し提示する価格提示手段とを備えることを特徴とするＰＤＭシステム。
【発明の詳細な説明】
【技術分野】
【０００１】
この発明は、ＰＤＭ (Product Data Management) システムの改良に関する。
【背景技術】
【０００２】
ＰＤＭシステムは、製造業における製品の企画、開発、設計から製造、販売、保守にいたる複雑かつ膨大な情報を一元管理し、工程の効率化および期間の短縮を図ることを目指した情報システムである。
【０００３】
このＰＤＭシステムでは、設計部品表や製造部品表などが管理される。設計部品表は、部品の技術情報や仕様、代替可能部品などの情報から構成されており、Ｅ−ＢＯＭ (Engineering Bill Of Material) と称される。また、製造部品表は、工場の生産工程において、製品製造時に参照される部品表であり、Ｅ−ＢＯＭから作成され、Ｍ−ＢＯＭ (Manufacturing Bill Of Material) と称されている。
【０００４】
Ｍ−ＢＯＭには、各部品の製造に関する情報として工程属性情報が含まれている。この工程の属性として、機械加工であるとかメッキであるとかの工程の種類や、価格、加工先（発注先）がある。これらの属性値はＭ−ＢＯＭの作成時に定められるが、価格および加工先については、複数の加工先からの見積価格を比較することにより決定される。また、各部品の価格の合計により原価が算出される。
【０００５】
この場合、各部品の価格は単価に一度に製作する個数や注文する個数（これらを総称してロット数と称する）を乗じて求められる。ところが、各部品の単価はロット数に応じて変動する要因を有している。またロット数に影響されない場合もある。そこで、価格決定する際にはつぎの点に注意する必要がある。
１）ロット数は部品ごとに異なっていることがある。
２）ロット数の種類も部品によってまちまちである。
３）ロット数は部品によっては一定の個数範囲を持っている場合もあり、製作する必要数に応じたロット数の範囲を認識して単価を選択する必要がある。
４）ロット数に影響されないデフォルト単価も存在する。
【０００６】
しかしながら、従来のＰＤＭシステムでは、ロット数に対応した単価の管理ができず、上記に注意して価格決定することが容易ではない、という問題があった。
【発明の開示】
【発明が解決しようとする課題】
【０００７】
この発明の課題は、ロット数に応じた価格管理を容易に行えるように改善したＰＤＭシステムを提供することにある。
【課題を解決するための手段】
【０００８】
上記の目的を達成するため、この発明によると、各部品の製造に関する情報として工程の種類、価格、加工先を含む工程属性情報を有するＭ−ＢＯＭを保管して管理する手段を備えるＰＤＭシステムにおいて、上記Ｍ−ＢＯＭの保管・管理手段は、各工程ごとにロット数に対応した単価のテーブルの作成・更新・維持を行う単価管理手段と、入力された部品およびロット数に応じて上記単価テーブルを検索し、その部品を構成する工程のそれぞれのロット数対応単価を抽出して合計価格を計算し提示する価格提示手段とを備えることが特徴となっている。
【発明の効果】
【０００９】
ＰＤＭシステムにおいて各部品の製造に関する情報として工程の種類、価格、加工先を含む工程属性情報を有するＭ−ＢＯＭが保管・管理される。このＭ−ＢＯＭの保管・管理手段には、各工程ごとにロット数に対応した単価のテーブルの作成・更新・維持を行う単価管理手段と、入力された工程およびロット数に応じて上記単価テーブルを検索し対応する単価を抽出して価格を計算し提示する価格提示手段とが備えられている。部品の単価は一般にロット数に応じて定まるものであるが、加工業者や納入業者によって異なり、また発注時期によっても異なる。しかも単価が定まるロット数範囲についても業者や時期によって異なる。単価管理手段により、これらを随時入力して単価テーブルを作成し、あるいは更新し、または維持することができる。実際に価格（原価）を求めたり決定したりする必要が生じたとき、部品を指定するとともにロット数を入力すれば、価格提示手段が上記の各工程ごとの単価テーブルを検索し、その部品を構成する工程のそれぞれのロット数対応単価を抽出して合計価格を計算し提示する。したがって、実際に製作しようとするロット数に対応した原価管理を容易に行うことができるようになる。
【発明を実施するための最良の形態】
【００１０】
つぎに、この発明を実施したＰＤＭシステムについて図面を参照して説明する。
【実施例１】
【００１１】
この発明にかかるＰＤＭシステムは、１個の単独のコンピュータによっても構成できるが、ここでは図１に示すように複数台のコンピュータ１、２、３、…をネットワークで接続して構成するようにしており、そのうちの１台のコンピュータ１をサーバーとし、そのサーバーのなかにデータベース４を構築するようにしている。このデータベース４は、具体的には情報を記録するハードディスク装置などの記録装置および情報の保管・管理を行うハードウェア・ソフトウェアなどから構成される。
【００１２】
このデータベース４にはＭ−ＢＯＭが保管・管理されている。Ｍ−ＢＯＭは、図２に例示するように、製品（最終組立品）を構成する各組立部品や各部品の情報およびその各部品の工程などの製造情報などが、それらの部品構成上のあるいは製造上の親子関係に基づいて関連付けられたものである。そして、各工程には属性情報が付着させられている。この工程属性情報には、機械加工であるとかメッキであるとか塗装であるとかの工程の種類や、加工先（発注先）、価格などが含まれる。これらの属性値はＭ−ＢＯＭの作成時に定められるが、価格および加工先については、複数の加工先からの見積価格を比較することにより決定される。
【００１３】
このＭ−ＢＯＭは、通常、その製品について設計者が作成しこのデータベース４に登録した設計部品表（Ｅ−ＢＯＭ）に基づいて作成・編集される。このＥ−ＢＯＭはその製品についての基本であり、部品と部品の親子関係をはじめ、部品に関連付けられた図面、文書等を含む。このＥ−ＢＯＭの部品に関連付けられた図面等を参照して工程を決めることによってＭ−ＢＯＭが作成される。
【００１４】
その際、価格や加工先については、上記のとおり複数の加工先から見積をとってそれらを比較することにより決められる。ところが費用の単価はロット数によって変わる。またそのロット数ごとの単価も、各単価ごとのロット数範囲も、加工業者によりあるいは時期により変動するものある。
【００１５】
図３は、図２の各工程ごとの単価を表わすテーブルの例を示すものである。図３の（ａ）は品目１００−００００３に関する工程７００（機械加工）、工程６５０（メッキ）および工程６５４（塗装）の各工程についてのロット数ごとの単価を表わしている。図３の（ｂ）は品目１００−００００４の工程７００（機械加工）についてのロット数ごとの単価を表わす。図３の（ｃ）に示す品目１００−００００１についての工程７１５（組立）は、ロット数に影響されないデフォルトの単価のみとなっている。他のテーブルにおいてデフォルトの単価はロット数が１の場合の単価である。図３の（ｄ）は品目０５０−００００２（購入品）についての単価（購入単価）をロット数ごとに表わす。
【００１６】
このように部品の購入単価や工程単価は、一度に製作する個数あるいは一度に注文する個数に応じて変わり、また時期によっても変わり、さらに同一単価のロット数範囲も変動することがあるので、これらの単価テーブルにおいてロット数と単価が随時入力・変更できるようになっている。すなわち、データベース４には、図４に示すような、各工程ごとにロット数に対応した単価のテーブルの作成・更新・維持を行う単価管理部５と、入力された部品およびロット数に応じて上記単価テーブルを検索し、その部品を構成する工程のそれぞれのロット数対応単価を抽出して合計価格を計算し提示する価格提示部６とが備えられる。
【００１７】
この単価管理部５では、コンピュータ１、２、３等からキーボードやマウス等を操作することによって、工程を指定し、ロット数範囲ごとに単価を入力することができるように、そのディスプレイ上に入力画面が現れるようにし、その入力が受け入れられると、単価テーブルを作成し、あるいは更新したうえで、単価テーブルとして保存する。こうして各工程ごとに図３の各々で示したような単価テーブルが作成・更新され管理されることになり、この状態で価格を参照したい場合、価格提示部６の働きにより、まずコンピュータ１、２、３等のディスプレイ上に品目（パーツナンバー）、ロット数の入力画面を表わすようにする。この入力画面を用いてキーボードやマウス等を操作することによって参照したい品目とロット数の入力が可能となる。品目とロット数が入力されると、その品目を構成するパーツや工程が上記のようなテーブルから検索されて、それらのロット数とに対応した単価が抽出され、それぞれの単価が合算されて合計価格が算出され、ディスプレイ上に表示されることになる。
【００１８】
図５はこのようにして算出され、表示された品目ごとの合計価格の表示例である。図５（ａ）は単体パーツ（品目１００−００００３）についてのもので、このパーツは工程７００（機械加工）、工程６５０（メッキ）、工程６５４（塗装）の各工程を経て作られるので、それらの各工程についての単価の和が合計価格となる。ここでは１、５、２０、１００の各々のロット数についての合計額が表示されている。図５（ｂ）は、組立パーツ（品目１００−００００１）についての合計価格の表示例である。この組立パーツは単体パーツ（品目１００−００００３）と単体パーツ（品目１００−００００４）を組み合わせて作られるので、その各々の単体パーツの単価と組立（工程７１５）にかかる工賃の単価の合計が合計価格となる。ここでは工程７１５については、図２（ｃ）に示したテーブルにロット数がないため、デフォルトの価格が利用されている。この場合もロット数１、５、２０、１００の各々についての合計単価が示されている。
【００１９】
図５（ｃ）は最終組立品（１００−０００００）について、ロット数１、５、２０、１００の各々の合計価格を示している。この最終組立品は組立パーツ（品目１００−００００１）と購入品（品目０５０−００００２）よりなり、その単価は単純にそれらを加算した額となっている。
【００２０】
図５（ｄ）は、各パーツ（この場合品目１００−００００３と品目１００−００００４）で共通なある工程７００（機械加工）についての単価の合計額を示す。このような表示がなされることにより同じ加工業者（発注先）のロット数に対応した価格管理が容易となる。
【００２１】
なお、上記の説明はこの発明の一実施例に関するものであって、この発明の趣旨を逸脱しない範囲で、具体的な構成などは種々に変更できることはいうまでもない。
【産業上の利用可能性】
【００２２】
この発明にかかるＰＤＭシステムによれば、ロット数に対応した単価の管理が容易であり、ロット数に注意して価格決定することが容易にできるため、製造業において、製品の設計から出荷および価格管理までの効率をより一層向上させることに寄与できる。
【図面の簡単な説明】
【００２３】
【図１】この発明の一実施例にかかるＰＤＭシステムの模式図。
【図２】同実施例におけるＭ−ＢＯＭの例を示す図。
【図３】同実施例における工程ごとのロット数対応単価テーブル例を示す図。
【図４】同実施例における単価管理部と価格提示部を示すブロック図。
【図５】同実施例におけるパーツごとの合計単価の表示例を示す図。
【符号の説明】
【００２４】
１、２、３      コンピュータ
４              データベース
５              単価管理部
６              価格提示部
【図１】
2006313457.tif 000003
【図２】
2006313457.tif 000004
【図３】
2006313457.tif 000005
【図４】
2006313457.tif 000006
【図５】
2006313457.tif 000007